【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
顔料着色剤およびビヒクルを含み、かつ、赤、緑および青からなる群から選択された色を有する着色インクジェットインクであって、
（ａ）前記着色インクジェットインクが赤色である場合、前記顔料着色剤が少なくとも１つのマゼンタ顔料と少なくとも１つのイエロー顔料との混合物を含み、
（ｂ）前記着色インクジェットインクが緑色である場合、前記顔料着色剤が少なくとも１つのシアン顔料と少なくとも１つのイエロー顔料との混合物を含み、そして
（ｃ）前記着色インクジェットインクが青色である場合、前記顔料着色剤が少なくとも１つのマゼンタ顔料と少なくとも１つのシアン顔料との混合物を含む
ことを特徴とするインクジェットインク。
【請求項２】
少なくとも４つの異なる色に着色されたインクを含むインクジェット・インクセットであって、
前記異なる色に着色されたインクが請求項１に記載の赤、緑または青色インクであることを特徴とするインクセット。
【請求項３】
（ａ）色がシアンであり、約１８０〜約２５０の色相角を有し、かつ、第１ビヒクルおよびシアン顔料を含む第１の顔料入りインクジェットインク、
（ｂ）色が黄であり、約７０〜約１２０の色相角を有し、かつ、第２ビヒクルおよびイエロー顔料を含む第２の顔料入りインクジェットインク、
（ｃ）色がマゼンタであり、約３２０〜約１０の色相角を有し、かつ、第３ビヒクルおよびマゼンタ顔料を含む第３の顔料入りインクジェットインク、
（ｄ）色が青であり、約２５０〜約３２０の色相角を有し、かつ、第４ビヒクルおよびブルー顔料着色剤を含む第４の顔料入りインクジェットインク、
（ｅ）色が赤であり、約１０〜約７０の色相角を有し、かつ、第５ビヒクルおよびレッド顔料着色剤を含む第５の顔料入りインクジェットインク、ならびに
（ｆ）色が緑であり、約１２０〜約１８０の色相角を有し、かつ、第６ビヒクルおよびグリーン顔料着色剤を含む第６の顔料入りインクジェットインク
を含むインクジェット・インクセット。
【請求項４】
請求項１に記載のインクジェットインク、または請求項２又は３に記載のインクジェット・インクセットを装着したインクジェットプリンター。
【請求項５】
（ａ）デジタルデータ信号に応答するインクジェットプリンターを提供する工程と、
（ｂ）印刷されるべき基材を前記プリンターに装着する工程と、
（ｃ）請求項１に記載のインクジェットインク、または請求項２又は３に記載のインクジェット・インクセットを前記プリンターに装着する工程と、
（ｄ）前記デジタルデータ信号に応答して前記インクジェットインクを用いて前記基材へ印刷する工程と
を含む、基材へのインクジェット印刷方法。
【手続補正２】
【補正対象書類名】明細書
【補正対象項目名】０１１７
【補正方法】変更
【補正の内容】
【０１１７】
2008504399.tif 000001
次に、本発明の好ましい態様を示す。
1.  顔料着色剤およびビヒクルを含み、かつ、赤、緑および青からなる群から選択された色を有する着色インクジェットインクであって、
（ａ）前記着色インクジェットインクが赤色である場合、前記顔料着色剤が少なくとも１つのマゼンタ顔料と少なくとも１つのイエロー顔料との混合物を含み、
（ｂ）前記着色インクジェットインクが緑色である場合、前記顔料着色剤が少なくとも１つのシアン顔料と少なくとも１つのイエロー顔料との混合物を含み、そして
（ｃ）前記着色インクジェットインクが青色である場合、前記顔料着色剤が少なくとも１つのマゼンタ顔料と少なくとも１つのシアン顔料との混合物を含む
ことを特徴とするインクジェットインク。
2.  前記インク中に存在する顔料着色剤の総量が前記インクの総重量を基準にして少なくとも約１重量％であることを特徴とする上記１に記載のインクジェットインク。
3.  （ａ）前記インクが赤色であり、そしてＭ：Ｙの重量比が約２：１〜約１：２である、または
（ｂ）前記インクが緑色であり、そしてＣ：Ｙの重量比が約２：１〜約１：２である、または
（ｃ）前記インクが青色であり、そしてＭ：Ｃの重量比が約２：１〜約１：２である
ことを特徴とする上記１に記載のインクジェットインク。
4.  前記インクが赤色であり、前記少なくとも１つのマゼンタ顔料がＰＲ１２２およびＰＲ２０２からなる群から選択され、そして前記少なくとも１つのイエロー顔料がＰＹ７４、ＰＹ９５、ＰＹ１１０、ＰＹ１２８およびＰＹ１５５からなる群から選択されることを特徴とする上記１に記載のインクジェットインク。
5.  前記インクが緑色であり、前記少なくとも１つのシアン顔料がＰＢ１５：３およびＰＢ１５：４からなる群から選択され、そして前記少なくとも１つのイエロー顔料がＰＹ７４、ＰＹ９５、ＰＹ１１０、ＰＹ１２８およびＰＹ１５５からなる群から選択されることを特徴とする上記１に記載のインクジェットインク。
6.  前記インクが青色であり、前記少なくとも１つのマゼンタ顔料がＰＲ１２２およびＰＲ２０２からなる群から選択され、そして前記少なくとも１つのシアン顔料がＰＢ１５：３およびＰＢ１５：４からなる群から選択されることを特徴とする上記１に記載のインクジェットインク。
7.  前記ビヒクルが水性ビヒクルであることを特徴とする上記１に記載のインクジェットインク。
8.  少なくとも４つの異なる色に着色されたインクを含むインクジェット・インクセットであって、
前記異なる色に着色されたインクが上記１〜７のいずれか一項に記載の赤、緑または青色インクであることを特徴とするインクセット。
9.  少なくとも１つのインクがマゼンタ顔料を含む顔料入りマゼンタインクであり、少なくとも１つのインクがイエロー顔料を含む顔料入り黄色インクであり、そして少なくとも１つのインクがシアン顔料を含む顔料入りシアンインクであることを特徴とする上記８に記載のインクジェット・インクセット。
10.  前記赤、緑および／または青色インク中の前記マゼンタ、イエローおよびシアン顔料が、それぞれ、顔料入りマゼンタインク、顔料入り黄色インクおよび顔料入りシアンインク中と同じものであることを特徴とする上記９に記載のインクジェット・インクセット。
11.  顔料入りマゼンタインク、顔料入り黄色インク、顔料入りシアンインク、顔料入り赤色インク、顔料入り緑色インクおよび顔料入り青色インクを含む上記８に記載のインクジェット・インクセット。
12.  （ａ）色がシアンであり、約１８０〜約２５０の色相角を有し、かつ、第１ビヒクルおよびシアン顔料を含む第１の顔料入りインクジェットインク、
（ｂ）色が黄であり、約７０〜約１２０の色相角を有し、かつ、第２ビヒクルおよびイエロー顔料を含む第２の顔料入りインクジェットインク、
（ｃ）色がマゼンタであり、約３２０〜約１０の色相角を有し、かつ、第３ビヒクルおよびマゼンタ顔料を含む第３の顔料入りインクジェットインク、
（ｄ）色が青であり、約２５０〜約３２０の色相角を有し、かつ、第４ビヒクルおよびブルー顔料着色剤を含む第４の顔料入りインクジェットインク、
（ｅ）色が赤であり、約１０〜約７０の色相角を有し、かつ、第５ビヒクルおよびレッド顔料着色剤を含む第５の顔料入りインクジェットインク、ならびに
（ｆ）色が緑であり、約１２０〜約１８０の色相角を有し、かつ、第６ビヒクルおよびグリーン顔料着色剤を含む第６の顔料入りインクジェットインク
を含むインクジェット・インクセット。
13.  第４、第５または第６の顔料入りインクジェットインクの少なくとも１つ中の前記顔料着色剤が、前記第１の顔料入りインク中のシアン顔料、前記第２の顔料入りインク中のマゼンタ顔料、および前記第３の顔料入りインク中のイエロー顔料からなる群から選択された少なくとも２つの顔料の混合物を含むことを特徴とする上記１２に記載のインクジェット・インクセット。
14.  それぞれのインクの総重量を基準にして、前記第１、第２および第３インクのそれぞれ中の顔料含量が個々に約１．５重量％〜約４重量％であり、そして前記第４、第５および第６インクのそれぞれ中の顔料含量が個々に約４重量％〜約９重量％であることを特徴とする上記１３に記載のインクジェット・インクセット。
15.  前記第１、第２、第３、第４、第５および第６インクのそれぞれ中の顔料含量が、それぞれのインクの総重量を基準にして個々に約１．５重量％〜約４重量％であることを特徴とする上記１３に記載のインクジェット・インクセット。
16.  （ａ）前記第１の顔料入りインクジェットインク中のシアン顔料がＰＢ１５：３および／またはＰＢ１５：４、ならびにそれらの組合せからなる群から選択され、
（ｂ）前記第２の顔料入りインクジェットインク中のマゼンタ顔料がＰＲ１２２およびＰＲ２０２、ならびにそれらの組合せからなる群から選択され、
（ｃ）前記第３の顔料入りインクジェットインク中のイエロー顔料がＰＹ７４、ＰＹ９５、ＰＹ１１０、ＰＹ１２８およびＰＹ１５５、ならびにそれらの組合せからなる群から選択され、
（ｄ）前記第４の顔料入りインクジェットインクがＰＢ６０、ＰＶ２３、シアン−マゼンタ顔料混合物からなる群から選択されたブルー顔料着色剤であって、前記マゼンタ顔料がＰＲ１２２およびＰＲ２０２からなる群から選択され、そして前記シアン顔料がＰＢ１５：３およびＰＢ１５：４、ならびにそれらの組合せからなる群から選択されるブルー顔料着色剤を含んでなり、
（ｅ）前記第５の顔料入りインクジェットインクがＰＯ３４、ＰＲ１４９、ＰＲ１７７、ＰＲ１７８、ＰＲ２６４、イエロー−マゼンタ顔料混合物からなる群から選択されたレッド顔料着色剤であって、前記マゼンタ顔料がＰＲ１２２およびＰＲ２０２からなる群から選択され、そして前記イエロー顔料がＰＹ７４、ＰＹ９５、ＰＹ１１０、ＰＹ１２８およびＰＹ１５５、ならびにそれらの組合せからなる群から選択されるレッド顔料着色剤を含み、
（ｆ）前記第６の顔料入りインクジェットインクがＰＧ３６、およびイエロー−シアン顔料混合物からなる群から選択されたグリーン顔料着色剤であって、前記シアン顔料がＰＢ１５：３およびＰＢ１５：４からなる群から選択され、そして前記イエロー顔料がＰＹ７４、ＰＹ９５、ＰＹ１１０、ＰＹ１２８およびＰＹ１５５、ならびにそれらの組合せからなる群から選択されるグリーン顔料着色剤を含む
ことを特徴とする上記１２または１３に記載のインクジェット・インクセット。
17.  水性顔料ベースの黒色インクである第７インクをさらに含む上記１２に記載のインクジェット・インクセット。
18.  上記１〜７のいずれか一項に記載のインクジェットインク、または上記８〜１７のいずれか一項に記載のインクジェット・インクセットを装着したインクジェットプリンター。
19.  ページ幅プリントヘッド・アレイを装備した、上記１８に記載のインクジェットプリンター。
20.  （ａ）デジタルデータ信号に応答するインクジェットプリンターを提供する工程と、
（ｂ）印刷されるべき基材を前記プリンターに装着する工程と、
（ｃ）上記１〜７のいずれか一項に記載のインクジェットインク、または上記８〜１７のいずれか一項に記載のインクジェット・インクセットを前記プリンターに装着する工程と、
（ｄ）前記デジタルデータ信号に応答して前記インクジェットインクを用いて前記基材へ印刷する工程と
を含む、基材へのインクジェット印刷方法。